(57)【特許請求の範囲】
【請求項１】
被切断材を載置可能な被切断材載置面を有するベース部と、
該ベース部より立設されるホルダ部と、
該ホルダ部に揺動可能に支持され、円形の形状をし側面部及び円周部を有する丸鋸刃を前記円形の中心で回転可能に軸支する丸鋸部とを有し、
前記ホルダ部は、前記ベース部に対して前記丸鋸刃の軸支方向に傾動可能であり、
前記丸鋸部は、前記ベース部に対して前記丸鋸刃の側面方向であって前記被切断材載置面の上面と平行な方向に移動可能である卓上切断機であって、
前記丸鋸部は、前記丸鋸刃の一部を覆う丸鋸カバーと、前記丸鋸刃の一部を覆い、前記揺動に連動して前記丸鋸カバーが前記丸鋸カバー側へと回動可能な可動カバーとを有し、
前記可動カバーは、前記丸鋸刃の前記側面部に位置する可動カバー側面部と、前記丸鋸刃の円周部に位置する可動カバー円周部とを有し、
前記可動カバー円周部であって前記丸鋸カバーから露出する側の端部付近に、前記丸鋸刃の前記円周部の半径方向外側を覆い、前記被切断材と当接することにより前記可動カバーに対して前記丸鋸刃の半径方向外側に回動し、前記丸鋸刃の前記円周部の少なくとも一部が露出する位置に位置変更可能な可動部を設け、
前記可動カバーには、前記可動部を前記可動カバー側面部に当接する方向に付勢する付勢手段を設けたことを特徴とする卓上切断機。
【請求項２】
前記可動部は、変形することにより位置変更可能であることを特徴とする請求項１記載の卓上切断機。
【発明の詳細な説明】
【技術分野】
【０００１】
本発明は、傾動及びスライド可能な構成である卓上切断機の丸鋸刃の可動カバーの構造に関するものである。
【背景技術】
【０００２】
従来の卓上切断機の説明を、本願発明の断面図である図４を用いて行う。図示しない給電装置により卓上切断機に、給電されると、モータ２１が回転を行う。モータ２１の回転により、モータ軸２２が回転する。
【０００３】
モータ軸２２上に設けられた第１プーリ２３により、モータ軸２２の回転がベルト２４に伝達される。なお、ベルト２４は略円形をしている無端ベルトである。ベルト２４は、プーリ軸１７に設けられている第２プーリ１８へと回転を伝達する。なお、ベルト２４には溝があり、第１プーリ２３、第２プーリ１８にも同様にベルトの溝と係合する溝がある。プーリ軸１７は、丸鋸刃軸１５に設けられたギア１６と係合し、丸鋸刃軸１５へと回転を伝達する。丸鋸刃軸１５には、丸鋸刃１４が設けられている。
【０００４】
本願発明においては、傾動及びスライドが可能であるために、可動カバー１９は、鉛直方向より、傾くものであり、また、切断方向である鋸刃の両側面に沿う向きであって水平方向に移動可能なものである。この傾動及びスライド機構については、後述する。
【０００５】
丸鋸刃１４は、薄肉の円形の形状をしており、丸鋸カバー２０と、可動カバー１９とにより、その少なくとも一部を覆われている。
【０００６】
可動カバー１９は、丸鋸刃軸１５を略回動中心として回動可能である。また、可動カバー１９は、回動することによって、少なくとも一部を丸鋸カバー２０に収納可能になっている。
【０００７】
図１１、図１２、図１３に可動カバー１９の拡大図を示す。図１１は、傾斜切断の際に、切断の幅が小さい場合に、切断の際に切断方向後方から切断の様子を示したものである。図１２は、図１１を側方から切断の様子を示したものである。図１３は、傾斜切断の際に、切断の幅が大きい場合に、切断の際に切断方向後方から切断の様子を示したものである。
【０００８】
図１３においては、切断の幅が大きいために、傾斜し、スライドを行った場合にも、可動カバー１９は、切断の際に支障となることは無いものである。
【０００９】
しかしながら、図１１のように、切断の幅が小さい場合には、傾斜し、スライドを行い、切断を行う際には不都合が生じていた。すなわち、図１１及び図１２に示すように、傾斜をしてスライド切断を行う際には、可動カバー１９の可動部１９ｂが長さＬだけ被切断材の端部３５ａに引っかかってそれ以上スライドすることができなくなるために、可動カバー１９の可動部１９ｂがスライドの支障になっていた。このような場合には、作業者が、可動カバー１９をその傾斜の高さＬだけ持ち上げ、切断の支障にならないようにする必要があり、作業効率を低下させていた。また、被切断材３５の厚さが大きい場合には、切り残しになり、切断可能な厚さが小さくなるものであった。可動カバー１９の可動部１９ｂが長さＬだけ被切断材の端部３５ａに引っかからないように、その部分をなくすことも考えられるが、その際には、被切断材の切り粉が可動カバーから集塵することができないために、集塵効率が非常に落ちるものである。
【００１０】
例えば特許文献１、特許文献２等がある。
【００１１】
【特許文献１】実用新案登録第２５８８３３３号
【特許文献２】特許第２６４０８６２号
【発明の開示】
【発明が解決しようとする課題】
【００１２】
本発明の目的は上記した従来技術の欠点を解消することである。すなわち、傾斜し、スライドする卓上切断機において、その切断材の切断の幅が小さい場合に、スムーズな切断作業を行うことができ、作業効率を高めることができ、その際には集塵効率を落とさないようにできる卓上切断機を提供することである。
【課題を解決するための手段】
【００１３】
上記目的は、被切断材を載置可能な被切断材載置面を有するベース部と、該ベース部より立設されるホルダ部と、該ホルダ部に揺動可能に支持され、円形の形状をし側面部及び円周部を有する丸鋸刃を前記円形の中心で回転可能に軸支する丸鋸部とを有し、前記ホルダ部は、前記ベース部に対して前記丸鋸刃の軸支方向に傾動可能であり、前記丸鋸部は、前記ベース部に対して前記丸鋸刃の側面方向であって前記被切断材載置面の上面と平行な方向に移動可能である卓上切断機であって、前記丸鋸部は、前記丸鋸刃の一部を覆う丸鋸カバーと、前記丸鋸刃の一部を覆い、前記揺動に連動して前記丸鋸カバーが前記丸鋸カバー側へと回動可能な可動カバーとを有し、前記可動カバーは、前記丸鋸刃の前記側面部に位置する可動カバー側面部と、前記丸鋸刃の円周部に位置する可動カバー円周部とを有し、前記可動カバー円周部であって前記丸鋸カバーから露出する側の端部付近に、前記丸鋸刃の前記円周部の半径方向外側を覆い、前記被切断材と当接することにより前記可動カバーに対して前記丸鋸刃の半径方向外側に回動し、前記丸鋸刃の前記円周部の少なくとも一部が露出する位置に位置変更可能な可動部を設け、前記可動カバーには、前記可動部を前記可動カバー側面部に当接する方向に付勢する付勢手段を設けたことを特徴とする卓上切断機により達成される。
【発明の効果】
【００１４】
本願の請求項１に記載の卓上切断機によれば、傾動及びスライド切断を行う際であって、切断の幅が小さい場合には、可動カバーの可動部が被切断材の端部に引っかかることを抑制することができるために、スムーズな切断作業を行うことができ、作業効率を高めることができる。また、前記可動部は、被切断材と当接した際に、前記可動カバーに対して回動することにより位置変更可能であるために、位置変更をスムーズに行うことができ、作業性を向上することができる。また、前記可動部を前記可動カバー側面部に当接する方向に付勢する付勢手段を有するために、可動部が位置変更しない場合には、可動カバー円周部に当接する。そのため、可動カバーが位置変更しない場合には集じん効率を高くすることができる。また、一度可動カバー円周部が回動した際にも、その後付勢手段によって回動しない位置へと位置することができる。
【００１５】
また、請求項２に記載のように前記可動部は、変形することにより位置変更可能であるために、不意に可動カバーに物が衝突した際に変形によって衝撃を緩和することができるために、可動部が破損することを抑制することができる。
【発明を実施するための最良の形態】
【００１８】
本願発明に係る卓上切断機を図１により説明する。なお、図面中に記載の通り、上方及び下方を、前方及び下方を定義する。
【００１９】
卓上切断機は、被切断材３５を載置可能な被削材載置面１ａを有するベース１及びベース１に回動可能に支持され被切断材３５を載置可能な被削材載置面を有するターンテーブル２を有するベース部を有する。ベース部には、ベース部上面であって被削材載置面とほぼ垂直に延びるフェンス３が立設される。ターンテーブル２の上面中央には、丸鋸刃１４が最下方に位置した場合に侵入可能な溝部を有する図示しない刃口板が設けられている。これは、被切断材３５を切断する際に、丸鋸刃１４の下端がターンテーブル２上面よりも下降したとき、丸鋸刃１４が前記刃口板の溝部に侵入し、被切断材３５の下面がけば立つことを抑制している。
【００２０】
ターンテーブル２後端にはホルダシャフト４を介して後述の丸鋸部の支持部材となるホルダ部を立設している。ホルダ部は、ホルダ５を有し、ターンテーブル２に対して、ホルダ５は、傾動可能となっている。また、この傾動の方向は、後述する丸鋸刃の回転軸である丸鋸刃軸１５の方向とほぼ同じ方向である。ホルダ部は、ホルダシャフト４を有しており、ホルダシャフト４の軸心は、ターンテーブル２上面とほぼ一致している。これにより、ホルダ５はホルダシャフト４を支点として、ターンテーブル２の上面を中心に左右傾斜自在に軸支されるために、傾動することができる。ターンテーブル２の後部には、ホルダ支持面２ａを有する。
【００２１】
サポート２８は、ホルダ部の一部であり、スライダー２９は、ターンテーブルの一部である。サポート２８及びスライダー２９に挿通するレバー６を設け、レバー６には雄ネジを設け、スライダー２９の一部にレバーに設けられた雄ネジと勘合する雌ネジを設けることによって、スライダー２９及びレバー６をネジ嵌合させ、レバー６を回転させることによりスライダー２９を上下摺動可能に保持する。レバー６を回動させスライダー２９を上方向へ移動させると、サポート２８の斜面２８ａとスライダー２９の斜面２９ａにより、スライダー２９はホルダ５側へ移動するため、ターンテーブル２のホルダ支持面２ａとホルダ５が密着するために、ホルダ５の傾動が抑制される。なお、ホルダ５は、丸鋸刃軸１５の軸支方向であって図２又は図６及び図７に示すように、左右４５度程度傾動ができるよう構成されている。
【００２２】
ホルダ５には、ガイドバーが２本その一端部で固定されている。２本のガイドバー７は、ベース部上面とほぼ平行になるように、間隔をおいて設けられている。このガイドバー７の延びる方向は、ベース部の被切断材載置面とほぼ平行な方向であって、かつ丸鋸刃軸１５とほぼ垂直な方向である。
【００２３】
２本のガイドバー７の一端部とその一端部の他端である他端部には、ガイドバー７の他端部を支持するガイドバーサポート９が設けられている。
【００２４】
丸鋸部は、この２本のガイドバー上を摺動可能であり、ホルダ５とガイドバーサポート９の間にガイドバーと接触し丸鋸本体１２を摺動可能に支持する丸鋸ホルダ８を有する。丸鋸ホルダ８には、２本のガイドバー７が貫通する貫通穴８ａが２ヵ所設けられている。図５に示すように、一方の貫通穴８ａ（図１の下側の穴８ａ）内には、ガイドバー７の外径寸法とほぼ同寸法の内径を有し、ガイドバー７外径部に当接可能であり、ガイドバー７と丸鋸ホルダ８との間で相対的に摺動することが可能となるようにボールベアリング８ｂが設けられている。他方の貫通穴８ａ（後述の図３の上側穴８ａ）内にはガイドバー７との間に他方の摺動部である２個の移動部材８ｃが設けられており、この移動部材８ｃは丸鋸ホルダ８に螺合したボルト８ｄの先端によって穴部８ａ内からの抜け落ちが防止されていると共に、ボルト８ｄの先端の押圧によって移動を規制することができる構成となっている。
【００２５】
ガイドバー７の前方端部には、２個の穴部９ａを有するガイドバーサポート９が取付けられている。ガイドバーサポート９は、穴部９ａ内でガイドバーを固定可能な固定手段９ｂが設けられており、固定手段９ｂによってガイドバー７に対するガイドバーサポート９の抜け止めを行い、同時にガイドバー７の回動を抑制している。
【００２６】
丸鋸ホルダ８は、丸鋸本体１２をシャフト１１を介してベース１上面に対し上下揺動自在に丸鋸本体１２を軸支している。丸鋸ホルダ８と丸鋸本体１２の間には、丸鋸本体１２を上方に付勢するスプリング１３が設けられている。
【００２７】
図４に示すように丸鋸本体１２は、ギヤ１６が設けられる丸鋸刃軸１５を回転可能に支持し、丸鋸刃１４は回転可能となっている。ギヤ１６と噛合うピニオン１７ａを形成したプーリ軸１７は、その軸上に第２プーリ１８を保持する。さらに、丸鋸本体１２は、丸鋸刃１４の略下方部の扇形の形状部を覆う可動カバー１９と、丸鋸刃１４の略上方部の扇形の形状部を覆う丸鋸カバー２０とを有する。また、回転駆動するモータ２１と、モータに設けられるモータ軸２２と、モータ軸２２に保持された図４に示す第１プーリ２３とを有する。また、第２プーリ１８にモータ２１の動力を、第１プーリ２３により伝達する伝達ベルト２４と、モータ２１及びモータ軸２２を覆い支持するモータハウジング２５とを有する。
【００２８】
モータハウジング２５は丸鋸刃１４外周より外側で、かつのこ刃１４の延長線上を交差する方向に配置し、モータハウジング２５が丸鋸刃１４の両側面から出張るように設けている。また、図１に示すように、丸鋸部の略上方部には、運搬用ハンドル５１が設けられている。これは、丸鋸部の略上方部に設けられることにより、運搬を容易にしている。また、その位置は、丸鋸部の中で後方に位置している。これは、ベース１及びターンテーブル２の重量と丸鋸部のバランスを考えた上での位置に設けられている。
【００２９】
可動カバー１９は、丸鋸刃軸１５をほぼ回動中心として、回動可能に丸鋸本体１２に支持され、丸鋸刃１４の円周及び両側面を覆うように形成される。把持ハンドル２６が丸鋸部上部に設けられており、把持ハンドル２６を作業者が把持し、図１の下方へと押すことにより、シャフト１１を介して下方へと揺動することによって丸鋸本体１２を下降させると、図１に示すリンク４２により可動カバー１９が引き上げられ、丸鋸カバー２０内へと可動カバー１９の少なくとも一部が挿入され、丸鋸刃１４が露出する。この回動の方向は、図１、図３、図８に示す矢印の方向である。
【００３０】
なお、図示しないが、卓上切断機には、卓上切断機へと給電を行う図示しない電源コードがある。この電源コードにより、卓上切断機に給電がなされる。
【００３１】
図２に、図１の卓上切断機を前方から見た様子を示す。なお、図面中に記載の通り、右側及び左側を定義する。
【００３２】
ホルダ５の前面部には傾斜時の位置決め部材となるストッパ５ａ及び５ｂが設けられ、ターンテーブル２上面後方にはストッパ５ａ及び５ｂの移動軌跡上に位置するように傾斜調整部材であるストッパボルト３０及び３１が設けられている。ストッパボルト３０及び３１には、雄ネジが設けられており、ターンテーブル２に設けられた雌ネジにネジ嵌合している。このストッパボルト３０及び３１のターンテーブル２からの突出量は、ねじ嵌合により、作業者が任意に設定することができる。ホルダ５を左側または右側方向の何れかに傾斜させると、所定の傾斜角度である例えば４５度でストッパ５ａ又は５ｂがストッパボルト３０又は３１の各々の頭部に係合し、ホルダ５の傾斜位置を設定する。この際には、ホルダ５に支持されている丸鋸部も、ホルダ５と同様に傾斜する。ストッパボルト３０は、ホルダ５が左方向に４５度の位置に傾斜したときにストッパ５ａに係合するように設けられている。また、ストッパボルト３１は、ホルダ５が右方向に４５度の位置に傾斜したときにストッパ５ｂに係合するように設けられている。なお、このストッパボルト３０又は３１によるホルダ５の傾斜角度は任意に設定することができるものである。
【００３３】
さらに、ホルダ５に貫通穴５ｃを有し、ホルダ５が傾斜しない直角時の位置決め部材となるピン３２を前後方向であってに水平移動自在に軸支し、図２に位置するときにホルダ５にはピン３２の移動軌跡上に位置するようにストッパボルト３３が垂直方向にねじ嵌合している。このように、ホルダ５が直角切断位置になったとき、ストッパボルト３３の先端とピン３２の外径部が当接することができる。
【００３４】
丸鋸部を丸鋸刃軸１５の方向である左右へと傾斜させ傾斜切りする方法について説明する。レバー６を緩め、ホルダ５の傾斜の規制状態を解除すると、図６、７に示すように、ホルダ５を左側又は右側方向へ傾斜することが可能になる。この際、モータ２１の重心は、ホルダシャフト４のほぼ真上に位置させている。これによって、丸のこ部１２を左傾斜、右傾斜のどちら側でもほぼ一定の力で傾斜させることができる。図６に示すように、レバー６を緩め、ホルダ５の傾斜の規制状態を解除してホルダ５を左方向へ傾斜させると、ストッパ５ａがストッパボルト３０に当接し、丸のこ部１２は左傾斜４５度の状態に位置決めされる。また、５ｂとストッパボルト３１の当接によって、右傾斜４５度の状態に位置決めされる。この状態で、レバー６を締めることによって、ホルダ５の傾斜位置を固定する。
【００３５】
次に被切断材を角度切りする方法について説明する。ベース１に対して回動可能なターンテーブル２をベースに対して回動させることによって行うことが可能である。この場合に、回動規制ハンドル５２により、図示しないベースとターンテーブルとの間の回動阻止手段を操作することができ、回動を規制することができる。なお、前記と逆の操作によって、回動規制ハンドル５２を操作することにより、回動の規制を解除することができる。
【００３６】
可動カバー１９の回動方向の可動部について説明を行う。前述の通り、可動カバー１９は、丸鋸刃軸１５をほぼ回動中心として、回動可能に丸鋸部に支持され、丸鋸刃１４の円周及び側面に位置するように形成される。可動カバー１９は、図４に示すように、丸鋸刃１４の側面１４ａに位置するように形成される可動カバー側面部１９ａ１、１９ａ２を有し、丸鋸刃１４の円周部１４ｂである半径方向外周に位置するように形成される可動カバー円周部１９ｂを有する。可動カバー円周部１９ｂの丸鋸カバー２０から露出する側の端部付近であって、被切断材３５の端部３５ａが小さい場合に、被切断材と当接する可動部４０が位置変更可能に設けられている。また、この場合の可動部４０の素材は、変形可能な弾性体としている。
【００３７】
図８に示すように、可動部４０は、可動カバー１９に対して、軸５３を回動中心として、回動可能に支持されている。図８に示すように可動部４０を可動カバー側面部に当接するように付勢する付勢手段であるねじりバネ４１を有している。ねじりバネ４１は、可動部の前記可動カバーに対しての回動を規制する方向に付勢する付勢手段であり、可動カバー円周部１９ｂが延びるように可動部４０が位置するように付勢するために設けられている。
【００３８】
図１０に示すように、可動カバー円周部１９の可動部４０には、可動部４０以外の部材は無いものであり、可動部が位置変更した場合には、可動カバー側面部１９ａ１、１９ａ２の続く円周部は存在しなくなるものである。
【００３９】
本願発明の卓上切断機の動作について説明を行う。
【００４０】
前述のように、図示しない給電装置により、モータ２１を回転させることによって、モータ軸２２からベルト２４を介して、ピニオン軸１７に回転を伝達し、ピニオン軸１７から丸鋸刃軸１５へと回転を伝達する。
【００４１】
図３に示すように、図１の状態から丸鋸ホルダ８をガイドバー７上を前方に摺動させ、丸鋸部を前方へと移動する。このように、ガイドバー７上で丸鋸部が摺動させることによって、切断方向の長さが長い材料を切断することができる。前方への移動後に、丸鋸部の略上方にある把持ハンドル２６を把持し、スイッチ２７を操作して丸鋸刃１４を回転させ、操作した状態で把持ハンドル２６を下方へと押す。把持ハンドル２６を下方へと押すことにより、丸鋸本体１２を下降させると、リンク４２により可動カバー１９が引き上げられ、丸鋸カバー２０へと可動カバー１９が挿入され、丸鋸刃１４が露出する。把持ハンドル２６には、スイッチ２７が設けられており、スイッチ２７を操作することによって、電気を丸鋸回路へと流すことにより、丸鋸刃を回転することができるようになっている。切断の際には、前方から後方へと、ガイドバー７上で丸鋸部を摺動させる。
【００４２】
なお、図５に示すように、丸鋸ホルダ８には上側穴部８ａ内に突出可能な摺動規制手段であるノブ１０が設けられており、ノブ１０の先端がガイドバー７外径部を押圧することによって、ガイドバー７上で丸のこ部ホルダ８の摺動を規制可能となっている。
【００４３】
図９に、切断幅が小さい被切断材を切断する際に、ホルダ部を傾斜させた状態であって、丸鋸部をガイドバー７上で摺動させる場合の本願発明の様子を示す。従来の卓上切断機では、図１１に示すように、切断の際に、可動カバーの可動部１９ｂが被切断材と当接することによって、スライド動作が抑制されるために、切断効率を下げていた。
【００４４】
しかしながら、本発明を示す図９に示すように、可動カバー１９の可動カバー円周部１９ｂの回動方向の可動部４０が位置変更可能であるために、被切断材の端部３５ａと当接しても、可動部４０が位置を変更するため、切断の邪魔となることがなく、可動部４０が端部３５ａに引っかかることを抑制するために、スムーズにスライド動作を行うことができるものである。また、可動部４０を弾性体で形成したために、不意に被切断材などと衝突などしても、破損することが少ないものである。
【００４５】
本発明においては、ベース部に対して丸鋸部がスライドする機構を、ホルダ５にガイドバーが固定される機構であって、そのガイドバー上を丸鋸部が摺動する構成によってなしたが、本発明と同様にベース部に対して丸鋸部が相対的にスライドする機構であれば、本発明と同様の作用効果を奏し得ることができるために、変形例として良いものである。
【００４６】
本発明においては、ベース部に対してホルダ部が傾動する機構を、ホルダ部に設けられたホルダシャフト４とターンテーブル２によってなしたが、本願発明と同様にベース部に対してホルダ部が相対的に傾動する機構であれば、本願発明と同様の作用効果を奏し得ることができるために、良いものである。
【００４７】
本発明においては、モータ２１の回転力をベルト２４によって丸鋸刃１４に伝達する構成としたが、ベルト２４を有せず、歯車のみによって回転力を伝達する構成であっても、本発明と同様の作用効果を奏し得ることができるものであるために、良いものである。
【００４８】
本発明においては、ターンテーブル２は、ベース１上で回動可能な構成としたが、他の構成であって、角度切りが可能なものであっても、本発明と同様の作用効果を奏し得ることができるものであるために、良いものである。
【００４９】
本発明では、丸鋸本体１２を下降させる際にリンク４２によって、可動カバー１９が引き上げられることによって、丸鋸カバー２０へとその一部が挿入される構成としていたが、可動カバー１９が引き上げられる構成であれば、どのような構成であっても本発明と同様の作用効果を奏し得ることができるものであるために、良いものである。
【図面の簡単な説明】
【００５０】
【図１】本発明の卓上切断機の一実施形態を示す正面図
【図２】本発明の卓上切断機の右側面図
【図３】図１の切断部をガイドバー上で前方へと移動した状態を示す正面図
【図４】図１のＡ−Ａ線断面図
【図５】図１のＢ−Ｂ線断面図
【図６】ホルダ部を左に傾斜した状態を示す本願発明の右側面図
【図７】ホルダ部を右に傾斜した状態を示す本願発明の左側面図
【図８】図１のＣ部拡大図
【図９】傾斜切りの際に、被切断材の端部の幅が狭い時の正面から見た部分図
【図１０】図９の側面図
【図１１】従来技術での卓上切断機で、傾斜切りで端部の幅が狭い時の正面から見た部分図
【図１２】図１１の側面図
【図１３】傾斜切りで端部の幅がある時の正面から見た部分図
【符号の説明】
【００５１】
１はベース、２はターンテーブル、３はフェンス、４はホルダシャフト、５はホルダ、７はガイドバー、８は丸鋸ホルダ、９はガイドバーサポート、１２は丸鋸部、１４は丸鋸刃、１５は丸鋸刃軸、１９は可動カバー、４０は可動部、４１はねじりバネである。
【図１】
0005056318.tif 000002
【図２】
0005056318.tif 000003
【図３】
0005056318.tif 000004
【図４】
0005056318.tif 000005
【図５】
0005056318.tif 000006
【図６】
0005056318.tif 000007
【図７】
0005056318.tif 000008
【図８】
0005056318.tif 000009
【図９】
0005056318.tif 000010
【図１０】
0005056318.tif 000011
【図１１】
0005056318.tif 000012
【図１２】
0005056318.tif 000013
【図１３】
0005056318.tif 000014